(57)【要約】【課題】  リモートコントローラの位置・姿勢を変更する操作で表示制御装置（デジタルテレビ）を介して制御対象機器を所望に応じて制御することが可能であり、且つ、単一の共通の制御装置によって、複数の制御対象機器を制御できるようにする。【解決手段】  リモートコントローラ２００の動きに応じてその慣性センサ等の出力に応じて形成される無線のカーソル移動操作信号Ｓｃ及び確定操作信号Ｓｄでスクリーン１０２上に映出されたリモコンと相似のパターンをカーソルで操作し種々の制御対象機器（例えばＰＶＲ３００）を操作する。【選択図】  図１
2006245721.tif 000002
【特許請求の範囲】
【請求項１】
使用者によって自己の位置及び姿勢が変化するように取り扱われ得る外形寸法を有し内部に所定の構成要素を収納する筐体と、前記筐体の位置及び姿勢に係る相対的変化を非接触で検出する相対変位検出手段と、所定の表示制御装置の表示画面上に映出されるカーソルを前記相対変位検出手段の検出出力に応じて移動させるためのカーソル移動操作信号を形成するカーソル移動操作信号形成手段と、前記カーソル移動操作信号形成手段で形成されたカーソル移動操作信号を所定態様の信号として前記表示制御装置に向けて送出するカーソル移動操作信号送出手段と、前記表示制御装置の表示画面上に映出されるカーソルの位置に関する当該使用者による確定操作を受け付ける確定操作受付手段と、前記確定操作受付手段に対する操作に応答して確定操作信号を形成する確定操作信号形成手段と、前記確定操作信号形成手段によって形成された確定操作信号を所定態様の信号として前記表示制御装置に向けて送出する確定操作信号送出手段と、を備えたことを特徴とする遠隔制御装置。
【請求項２】
表示画面上に映出したカーソルの移動を所定の遠隔制御装置から送出されるカーソル移動操作信号に応答して行い、当該カーソルの位置に関する確定操作の認識を前記遠隔制御装置から送出される確定操作信号に応答して行う表示制御装置であって、所定の制御対象機器の制御に対する制御操作の種別を特定する制御操作パターンを前記表示画面上に映出させる制御操作パターン映出手段と、前記制御操作パターン映出手段よって前記表示画面上に映出された制御操作パターンにおける一の制御操作の種別を表す部位に前記カーソル移動操作信号に応答して移動したカーソルが位置したときに当該確定操作信号に応答して当該カーソルの位置に関する確定操作の認識をしたときには、当該一の制御操作の種別を表す制御操作特定信号を生成する制御操作特定信号生成手段と、前記制御操作特定信号生成手段によって生成された制御操作特定信号に基づいて当該制御対象機器の操作に適合する制御対象機器操作信号を形成する制御対象機器操作信号形成手段と、前記制御対象機器操作信号形成手段によって形成された制御対象機器操作信号を当該制御対象機器に向けて送出する制御対象機器操作信号送出手段と、を備えたことを特徴とする表示制御装置。
【請求項３】
使用者によって自己の位置及び姿勢が変化するように取り扱われ得る外形寸法を有し内部に所定の構成要素を収納する筐体と、この筐体の位置及び姿勢に応じて所定の表示制御装置の表示画面上に映出されるカーソルを移動させるためのカーソル移動操作信号を所定態様の信号として前記表示制御装置に向けて送出するカーソル移動操作信号送出手段と、前記表示制御装置の表示画面上に映出されるカーソルの位置に関する当該使用者による確定操作を前記表示制御装置に認識させるための確定操作信号を所定態様の信号として前記表示制御装置に向けて送出する確定操作信号送出手段と、を備えた遠隔制御装置と、
前記所定の表示制御装置に該当する装置であって、所定の制御対象機器の制御に対する制御操作の種別を特定する制御操作パターンを表示画面上に映出させる制御操作パターン映出手段と、前記制御操作パターン映出手段よって前記表示画面上に映出された制御操作パターンにおける一の制御操作の種別を表す部位に前記カーソル移動操作信号に応答して移動したカーソルが位置したときに当該確定操作信号に応答して当該カーソルの位置に関する確定操作の認識をしたときには、当該一の制御操作の種別を表す制御操作特定信号を生成する制御操作特定信号生成手段と、前記制御操作特定信号生成手段によって生成された制御操作特定信号に基づいて当該制御対象機器の操作に適合する制御対象機器操作信号を形成する制御対象機器操作信号形成手段と、前記制御対象機器操作信号形成手段によって形成された制御対象機器操作信号を当該制御対象機器に向けて送出する制御対象機器操作信号送出手段と、を備えた表示制御装置と、
前記表示制御装置から送出された制御対象機器操作信号に応答して所定の動作態様で動作するように構成された制御対象機器と、
を含んで構成されたことを特徴とする制御システム。
【請求項４】
表示画面上に映出したカーソルの移動を所定の遠隔制御装置から送出されるカーソル移動操作信号に応答して行い、当該カーソルの位置に関する確定操作の認識を前記遠隔制御装置から送出される確定操作信号に応答して行う表示制御装置であって、所定の複数の制御対象機器のうちの一の制御対象機器の制御に対する制御操作の種別を特定する各個のパターンを含む制御操作パターンを、表示可能な前記複数の制御対象機器に対応する制御操作パターンのうちから選択的に前記表示画面上に映出させる制御操作パターン選択映出手段と、前記制御操作パターン選択映出手段よって前記表示画面上に映出された制御操作パターンにおける一の制御操作の種別を表す部位に前記カーソル移動操作信号に応答して移動したカーソルが位置したときに当該確定操作信号に応答して当該カーソルの位置に関する確定操作の認識をしたときには、前記一の制御操作の種別に該当する当該制御対象機器の操作に適合する制御対象機器操作信号を形成する制御対象機器操作信号形成手段と、前記制御対象機器操作信号形成手段によって形成された制御対象機器操作信号を当該制御対象機器に向けて送出する制御対象機器操作信号送出手段と、を備えて構成されていることを特徴とする表示制御装置。
【請求項５】
使用者によって自己の位置及び姿勢が変化するように取り扱われ得る外形寸法を有し内部に所定の構成要素を収納する筐体と、この筐体の位置及び姿勢に応じて所定の表示制御装置の表示画面上に映出されるカーソルを移動させるためのカーソル移動操作信号を所定態様の信号として前記表示制御装置に向けて送出するカーソル移動操作信号送出手段と、前記表示制御装置の表示画面上に映出されるカーソルの位置に関する当該使用者による確定操作を前記表示制御装置に認識させるための確定操作信号を所定態様の信号として前記表示制御装置に向けて送出する確定操作信号送出手段と、を備えた遠隔制御装置と、
前記所定の表示制御装置に該当する装置であって、所定の複数の制御対象機器のうちの一の制御対象機器の制御に対する制御操作の種別を特定する各個のパターンを含む制御操作パターンを、表示可能な前記複数の制御対象機器に対応する制御操作パターンのうちから選択的に前記表示画面上に映出させる制御操作パターン選択映出手段と、前記制御操作パターン選択映出手段よって前記表示画面上に映出された制御操作パターンにおける一の制御操作の種別を表す部位に前記カーソル移動操作信号に応答して移動したカーソルが位置したときに当該確定操作信号に応答して当該カーソルの位置に関する確定操作の認識をしたときには、当該一の制御操作の種別を表し且つ当該制御対象機器の操作に適合する制御対象機器操作信号を形成する制御対象機器操作信号形成手段と、前記制御対象機器操作信号形成手段によって形成された制御対象機器操作信号を当該制御対象機器に向けて送出する制御対象機器操作信号送出手段と、を備えた表示制御装置と、
前記表示制御装置から送出された制御対象機器操作信号に応答して所定の動作態様で動作するように構成された制御対象機器と、
を含んで構成されていることを特徴とする制御システム。
【請求項６】
前記制御対象機器操作信号形成手段は、制御操作の種別に対応する個々の制御対象機器毎の制御対象機器操作信号の関係を特定するテーブルデータを参照して、自己に供給された前記制御操作特定信号に基づいてこの制御操作特定信号に対応する制御対象機器操作信号を形成するように構成されていることを特徴とする請求項２に記載の表示制御装置。
【請求項７】
前記テーブルデータを構成するデータを、外部から信号伝送路を通して取得するデータ取得手段を更に備え、前記制御対象機器操作信号形成手段は、前記データ取得手段によって取得したデータで構成されたテーブルデータを参照して、自己に供給された前記制御操作特定信号に基づいてこの制御操作特定信号に対応する制御対象機器操作信号を形成するように構成されていることを特徴とする請求項６に記載の表示制御装置。
【請求項８】
前記テーブルデータを構成するデータを、使用者による操作を受け付けることにより形成するＧＵＩデータ形成手段を更に備え、前記制御対象機器操作信号形成手段は、前記ＧＵＩデータ形成手段よって形成されたデータで構成されたテーブルデータを参照して、自己に供給された前記制御操作特定信号に基づいてこの制御操作特定信号に対応する制御対象機器操作信号を形成するように構成されていることを特徴とする請求項６に記載の表示制御装置。
【請求項９】
前記制御対象機器操作信号送出手段は、赤外線による制御対象機器操作信号を当該制御対象機器に向けて送出するように構成されていることを特徴とする請求項２に記載の表示制御装置。
【請求項１０】
前記制御対象機器操作信号送出手段は、ＤＬＮＡ（Digital Living Network Alliance）所定のガイドラインに準拠した通信方式で制御対象機器操作信号を当該制御対象機器に向けて送出するように構成されていることを特徴とする請求項２に記載の表示制御装置。
【請求項１１】
該当する制御対象機器の制御に対する制御操作の種別を特定する各個のパターンを含む制御操作パターンを表すデータを外部から信号伝送路を通して取得するパターンデータ取得手段を更に備え、前記制御操作パターン選択映出手段は、前記パターンデータ取得手段を通して取得したデータに基づいて制御操作パターンを前記表示画面上に映出させるように構成されていることを特徴とする請求項４に記載の表示制御装置。
【請求項１２】
前記制御操作パターンにおける各個のパターンと該当する制御対象機器の制御に対する制御操作の種別との対応関係を表すデータを外部から信号伝送路を通して取得するパターン対応操作データ取得手段を更に備え、前記制御対象機器操作信号形成手段は前記パターン対応操作データ取得手段によって取得されたデータに基づいて制御対象機器操作信号を形成するように構成されていることを特徴とする請求項４に記載の表示制御装置。
【請求項１３】
使用者によるＧＵＩを用いた対話形式の操作を受け付けることによってデータを形成するＧＵＩデータ形成手段を更に備え、前記パターン対応操作データ取得手段は、前記ＧＵＩデータ形成手段を通して前記制御操作パターンにおける各個のパターンと該当する制御対象機器の制御に対する制御操作の種別との対応関係を表すデータを取得するように構成されていることを特徴とする請求項１２に記載の表示制御装置。
【請求項１４】
前記制御対象機器操作信号送出手段は、赤外線による制御対象機器操作信号を当該制御対象機器に向けて送出するように構成されていることを特徴とする請求項４に記載の表示制御装置。
【請求項１５】
前記制御対象機器操作信号送出手段は、ＤＬＮＡ（Digital Living Network Alliance）所定のガイドラインに準拠した通信方式で制御対象機器操作信号を当該制御対象機器に向けて送出するように構成されていることを特徴とする請求項４に記載の表示制御装置。
【発明の詳細な説明】
【技術分野】
【０００１】
本発明は、使用者が手に持って操作する遠隔制御装置、及び、この遠隔制御装置に対応する表示制御装置、並びに、遠隔制御システムに関し、その一例としては、テレビジョン受像機の遠隔操作に用いられるリモートコントローラのような外形を有し、使用者が手に持って特定の動きを与えることによって無線による制御信号を発することができる遠隔制御装置、及び、この遠隔制御装置から発せられる制御信号に応答して自己に附設された表示器上でカーソルを移動させ且つ確定操作を認識し該認識に基づいて制御対象機器に制御信号を与えて制御する表示制御装置、並びに、これらの装置を含む制御システムに関する。
【背景技術】
【０００２】
近年、例えば、家庭内で用いられる種々の制御対象機器を手許の遠隔制御装置（リモートコントローラ）でリモートコントロールすることが普通に行われるようになってきている。より具体的には、映像記録再生装置（テレビジョン受像機、ＤＶＤレコーダ、ＨＤＤレコーダ、ＶＴＲ等）、音響システム等々、多くのものが赤外線によるリモートコントローラで遠隔操作される。
【０００３】
このようにリモートコントローラで遠隔操作される機器が多数あると、各制御対象機器毎に専用のリモートコントローラを使い分けることが大変煩わしくなる。更に、それら制御対象機器毎の各リモートコントローラを適切に保管乃至管理しなくてはならないことになると一層煩雑さが助長されてしまうといった現実がある。このようなリモートコントロール機器の取り扱いの煩雑さという課題に着目して、その解決の方途に関する提案もなされている。
【０００４】
例えば、リモートコントローラが自己の動きをジャイロセンサ等の慣性センサで検出し、この動きに対応した制御信号をコード信号として出力するように構成し、放送受信装置側では、上記出力されたコード信号に対応して放送受信装置を制御するための機能をコード信号機能設定部で設定しておき、リモートコントローラの動きに応じて生成され出力されるコード信号に応じて、これに対応する設定された機能に基づく制御を行うように構成することにより、リモートコントローラの位置や姿勢を動かすことで、放送受信装置の操作を軽快かつ直感的に行うことができるようにしようとする提案がある（例えば、特許文献１参照）。
【０００５】
また、リモートコントローラに備えられたジョイスティックへの操作状況に応じて赤外光の信号が投射され、テレビジョン受像機内の受光部で一旦受光され、テレビジョン受像機内で対象機器（例えば、複数設けられたＶＴＲのうちの目的とする一のもの）の所定の操作に適合する赤外光制御信号に変換されてその対象機器に投射されるように構成することにより、一つの操作部（ジョイスティック）への操作によって、複数種類の制御対象機器を意図通りに操作することができるようにする技術も提案されている。
【０００６】
この提案の場合、制御対象機器（ＶＴＲ）の操作部のイメージを表わす画像として、その機器（ＶＴＲ）専用のリモートコントローラの操作スイッチのレイアウト図を所謂ピクチャーインピクチャーの形態でテレビジョン受像機における本来の表示対象とする映像の画面中に重畳させて映出するようにしておき、この操作スイッチのレイアウト図に対して画面上の指標を移動・確定操作して所望の操作を行うようにすることが開示されている（例えば、特許文献２参照）。
【０００７】
更に、１台のリモートコントローラで複数の制御対象機器を遠隔操作可能にするシステムが提案されている。これは、リモートコントローラに設けられたカーソル移動ボタンの操作によって、テレビジョン受像機の画面上の操作メニューを遠隔操作すると、このテレビジョン受像機内のＭＰＵがその操作に応じた制御信号を生成して、このテレビジョン受像機及びそれらの制御対象機器が設置された室内の天井に取り付けられた赤外光制御信号投射装置に室内アンテナから無線で制御信号を送り、これを受けた赤外光制御信号投射装置から同室内の目的とする制御対象機器に対して赤外光によるリモートコントロール信号を投射するようにして、その制御対象機器を意図通りに制御するというものである（例えば、特許文献３参照）。
【特許文献１】特開２００４−１７３００３号公報（段落００１１〜段落００１３、図１）
【特許文献２】特許３２９１７６５号公報（段落００５６〜段落００６６、図６、図８）
【特許文献３】特開２００３−２０９８９５号公報（段落００１３〜段落００２１、図１、図２）
【発明の開示】
【発明が解決しようとする課題】
【０００８】
しかしながら、特許文献１におけるような、単にリモートコントローラの動きに応じて出力されるコード信号によって制御対象となる機器を操作する技術では、別段の習熟が要求されることのない直感的な動作（リモートコントローラ自体の動かし方）に応じて制御対象となる機器を操作可能にするものではあっても、リモートコントローラと制御対象となる機器との関係はあくまでも一対一の対をなす関係で構成されるものである。
【０００９】
このため、遠隔制御が望まれる種々の制御対象となる機器毎に各対応して専用のリモートコントローラを用意することが求められることになる。このように制御対象となる各個の機器毎に専用のリモートコントローラを用意しなくてはならないというようなことは、ユーザにとってはそれらの保管方法や使用時における選択の仕方の点でも甚だ煩わしいものとなってしまうといった従来からの問題が残されることになる。
【００１０】
また、特許文献２に提案の技術では、ジョイスティックを備えた単一のリモートコントローラによって複数種類の制御対象機器を遠隔操作することが可能になるが、各個の制御対象機器に応じた本来のリモートコントローラの操作キーの配列を表示画面上で視認しつつ、現実にはジョイスティックの操作によって仮想的にキー操作することになる。このような方法によって各個の制御対象機器を所望の通りに自在に操作するには、ユーザにとっては、制御対象機器毎の専用のリモートコントローラを操作する場合にも増して習熟が要求されることになる。
【００１１】
更に、特許文献３に開示された提案も、１台のリモートコントローラで複数種類の制御対象機器を選択的に遠隔操作することを可能にするものであるが、リモートコントローラ自体のキー（カーソル移動ボタン）の操作に慣れることが要求される上、リモートコントローラと制御対象機器であるテレビジョン受像機等の他に、更に、天井取り付け型の赤外制御信号放射装置を設備することが必須となるため、システムの構成が複雑になると共に、設置の当初や移設に関して工事を要するといった煩わしさと出費が伴うことになる。
【００１２】
本発明は上述のような既定案の技術における問題点に鑑みてなされたものであり、制御装置（リモートコントローラ）自体を持ってその位置・姿勢を変更するといった直感的に分かりやすい比較的単純な操作（言わば、振り方次第）で、この遠隔制御装置から発せられる制御信号に応答して自己に附設された表示器上でのカーソル移動と確定操作を認識し該認識に基づいて制御対象機器に制御信号を与える表示制御装置を介してこれらの制御対象機器を所望に応じて制御することが可能であり、且つ、単一の共通の遠隔制御装置によって、複数の制御対象機器を制御することが可能な、遠隔制御装置及び表示制御装置並びに制御システムを提供することを目的とする。
【課題を解決するための手段】
【００１３】
上記課題を解決するべく、本願では次に列記するような技術を提案する。
（１）使用者によって自己の位置及び姿勢が変化するように取り扱われ得る外形寸法を有し内部に所定の構成要素を収納する筐体と、前記筐体の位置及び姿勢に係る相対的変化を非接触で検出する相対変位検出手段と、所定の表示制御装置の表示画面上に映出されるカーソルを前記相対変位検出手段の検出出力に応じて移動させるためのカーソル移動操作信号を形成するカーソル移動操作信号形成手段と、前記カーソル移動操作信号形成手段で形成されたカーソル移動操作信号を所定態様の信号として前記表示制御装置に向けて送出するカーソル移動操作信号送出手段と、前記表示制御装置の表示画面上に映出されるカーソルの位置に関する当該使用者による確定操作を受け付ける確定操作受付手段と、前記確定操作受付手段に対する操作に応答して確定操作信号を形成する確定操作信号形成手段と、前記確定操作信号形成手段によって形成された確定操作信号を所定態様の信号として前記表示制御装置に向けて送出する確定操作信号送出手段と、を備えたことを特徴とする遠隔制御装置。
【００１４】
上記（１）の遠隔制御処置によれば、操作者が筐体を持って動かし、その位置や姿勢を変化させると該位置や姿勢の相対的変化を相対変位検出手段が検出し、この検出出力に応じて所定の表示制御装置の表示画面上に映出されるカーソル（例えば矢印形のカーソルポインタ等）を移動させるためのカーソル移動操作信号がカーソル移動操作信号形成手段で形成され、該形成されたカーソル移動操作信号がカーソル移動操作信号送出手段によって所定態様の信号として前記表示制御装置に向けて送出される。一方、前記表示制御装置の表示画面上に映出されるカーソルの位置に関する当該使用者による確定操作を受け付ける確定操作受付手段が設けられ、この確定操作受付手段を使用者が操作して確定操作が行われると、確定操作信号形成手段によって形成された確定操作信号が確定操作信号送出手段によって所定態様の信号として前記表示制御装置に向けて送出される。これにより、本遠隔制御装置によって、対応する所定の表示制御装置におけるポインタの移動と確定の遠隔操作が実行され得る。
【００１５】
（２）表示画面上に映出したカーソルの移動を所定の遠隔制御装置から送出されるカーソル移動操作信号に応答して行い、当該カーソルの位置に関する確定操作の認識を前記遠隔制御装置から送出される確定操作信号に応答して行う表示制御装置であって、所定の制御対象機器の制御に対する制御操作の種別を特定する制御操作パターンを前記表示画面上に映出させる制御操作パターン映出手段と、前記制御操作パターン映出手段よって前記表示画面上に映出された制御操作パターンにおける一の制御操作の種別を表す部位に前記カーソル移動操作信号に応答して移動したカーソルが位置したときに当該確定操作信号に応答して当該カーソルの位置に関する確定操作の認識をしたときには、当該一の制御操作の種別を表す制御操作特定信号を生成する制御操作特定信号生成手段と、前記制御操作特定信号生成手段によって生成された制御操作特定信号に基づいて当該制御対象機器の操作に適合する制御対象機器操作信号を形成する制御対象機器操作信号形成手段と、前記制御対象機器操作信号形成手段によって形成された制御対象機器操作信号を当該制御対象機器に向けて送出する制御対象機器操作信号送出手段と、を備えたことを特徴とする表示制御装置。
【００１６】
上記（２）の表示制御装置によれば、所定の制御対象機器（例えばＰＶＲやＶＣＲ等）の制御に対する制御操作の種別（起動、停止、ポーズ、ＥＰＧ操作等々）を特定する制御操作パターンを制御操作パターン映出手段によって（本体に一体的であると別体であるとを問わずに）附設された表示画面上に映出させ、この制御操作パターンに関して、使用者が操作する遠隔制御装置から供給されたカーソル移動操作信号と確定操作信号に応答してカーソルの移動と確定とが実行され、該実行されたカーソルの移動と確定に応じて制御操作の種別が確定し、該確定した制御操作の種別に対応した制御操作特定信号が制御操作特定信号生成手段によって生成され、該生成された制御操作特定信号に基づいて当該制御対象機器（例えばＰＶＲやＶＣＲ等のうちの何れかのもの）の操作に適合する制御対象機器操作信号が制御対象機器操作信号形成手段によって形成される。このようにして形成された制御対象機器操作信号が制御対象機器操作信号送出手段によって当該制御対象機器に向けて送出される。これにより、一の遠隔制御装置によって本表示制御装置に附設された表示画面上でのカーソルとその確定の操作を行いながら、この表示制御装置を介して、種々の目的とする制御対象機器を制御することができる。
【００１７】
（３）使用者によって自己の位置及び姿勢が変化するように取り扱われ得る外形寸法を有し内部に所定の構成要素を収納する筐体と、この筐体の位置及び姿勢に応じて所定の表示制御装置の表示画面上に映出されるカーソルを移動させるためのカーソル移動操作信号を所定態様の信号として前記表示制御装置に向けて送出するカーソル移動操作信号送出手段と、前記表示制御装置の表示画面上に映出されるカーソルの位置に関する当該使用者による確定操作を前記表示制御装置に認識させるための確定操作信号を所定態様の信号として前記表示制御装置に向けて送出する確定操作信号送出手段と、を備えた遠隔制御装置と、
前記所定の表示制御装置に該当する装置であって、所定の制御対象機器の制御に対する制御操作の種別を特定する制御操作パターンを表示画面上に映出させる制御操作パターン映出手段と、前記制御操作パターン映出手段よって前記表示画面上に映出された制御操作パターンにおける一の制御操作の種別を表す部位に前記カーソル移動操作信号に応答して移動したカーソルが位置したときに当該確定操作信号に応答して当該カーソルの位置に関する確定操作の認識をしたときには、当該一の制御操作の種別を表す制御操作特定信号を生成する制御操作特定信号生成手段と、前記制御操作特定信号生成手段によって生成された制御操作特定信号に基づいて当該制御対象機器の操作に適合する制御対象機器操作信号を形成する制御対象機器操作信号形成手段と、前記制御対象機器操作信号形成手段によって形成された制御対象機器操作信号を当該制御対象機器に向けて送出する制御対象機器操作信号送出手段と、を備えた表示制御装置と、
前記表示制御装置から送出された制御対象機器操作信号に応答して所定の動作態様で動作するように構成された制御対象機器と、
を含んで構成されたことを特徴とする制御システム。
【００１８】
上記（３）の制御システムによれば、使用者が遠隔制御装置の筐体を持って動かし、その位置や姿勢を変化させることによってカーソル移動操作信号が、且つ、確定操作受付手段を使用者が操作することによって確定操作信号が、各生成されて両信号が表示制御装置に供給される。該供給を受けた表示制御装置では、上記カーソル移動操作信号及び確定操作信号に応答して、制御操作パターン映出手段によって（一体的であると別体であるとを問わずに）附設された表示画面上に映出された所定の制御対象機器（例えばＰＶＲやＶＣＲ等）の制御に対する制御操作の種別（起動、停止、ポーズ、ＥＰＧ操作等々）を特定する制御操作パターン上でカーソルの移動と確定（特定）の操作を実行する。このようにして特定された当該一の制御操作の種別を表す制御操作特定信号が制御操作特定信号生成手段によって生成され、該生成された制御操作特定信号に基づいてその時点で制御の対象として選択されている当該制御対象機器の操作に適合する制御対象機器操作信号が制御対象機器操作信号形成手段によって生成される。このようにして前記制御対象機器操作信号形成手段によって形成された制御対象機器操作信号が制御対象機器操作信号送出手段によって当該制御対象機器に向けて送出される。制御対象機器は該供給された制御対象機器操作信号に応答して所定の動作態様で動作する。これにより、一の遠隔制御装置によって上記の表示制御装置に附設された表示画面上でのカーソルとその確定の操作を行いながら、この表示制御装置を介して、種々の目的とする制御対象機器を制御することができる。
【００１９】
（４）表示画面上に映出したカーソルの移動を所定の遠隔制御装置から送出されるカーソル移動操作信号に応答して行い、当該カーソルの位置に関する確定操作の認識を前記遠隔制御装置から送出される確定操作信号に応答して行う表示制御装置であって、所定の複数の制御対象機器のうちの一の制御対象機器の制御に対する制御操作の種別を特定する各個のパターンを含む制御操作パターンを、表示可能な前記複数の制御対象機器に対応する制御操作パターンのうちから選択的に前記表示画面上に映出させる制御操作パターン選択映出手段と、前記制御操作パターン選択映出手段よって前記表示画面上に映出された制御操作パターンにおける一の制御操作の種別を表す部位に前記カーソル移動操作信号に応答して移動したカーソルが位置したときに当該確定操作信号に応答して当該カーソルの位置に関する確定操作の認識をしたときには、前記一の制御操作の種別に該当する当該制御対象機器の操作に適合する制御対象機器操作信号を形成する制御対象機器操作信号形成手段と、前記制御対象機器操作信号形成手段によって形成された制御対象機器操作信号を当該制御対象機器に向けて送出する制御対象機器操作信号送出手段と、を備えて構成されていることを特徴とする表示制御装置。
【００２０】
上記（４）の表示制御装置によれば、所定の複数の制御対象機器（例えばＰＶＲやＶＣＲ等）のうちの一の制御対象機器の制御に対する制御操作の種別（例えば、起動、停止、ポーズ、ＥＰＧ操作等々）を特定する各個のパターンを含む制御操作パターン（例えば、通常のリモートコントローラの操作キー配列と類似のパターン表示等）を、制御操作パターン選択映出手段によって、表示可能な複数の制御対象機器に対応する制御操作パターンのうちから選択的に表示画面上に映出させる。このようにして表示画面上に映出された制御操作パターンにおけるカーソルの移動と確定の操作に応答して確定した一の制御操作の種別に該当する当該制御対象機器の操作に適合する制御対象機器操作信号（起動、停止、ポーズ、ＥＰＧ操作等々のうちの何れかを行わせるための操作信号）が制御対象機器操作信号形成手段によって形成される。該形成された制御対象機器操作信号が制御対象機器操作信号送出手段によって当該制御対象機器に向けて送出される。これにより、一の遠隔制御装置によって本表示制御装置に附設された表示画面上でのカーソルとその確定の操作を行いながら、この表示制御装置を介して、種々の目的とする制御対象機器を制御することができる。
【００２１】
（５）使用者によって自己の位置及び姿勢が変化するように取り扱われ得る外形寸法を有し内部に所定の構成要素を収納する筐体と、この筐体の位置及び姿勢に応じて所定の表示制御装置の表示画面上に映出されるカーソルを移動させるためのカーソル移動操作信号を所定態様の信号として前記表示制御装置に向けて送出するカーソル移動操作信号送出手段と、前記表示制御装置の表示画面上に映出されるカーソルの位置に関する当該使用者による確定操作を前記表示制御装置に認識させるための確定操作信号を所定態様の信号として前記表示制御装置に向けて送出する確定操作信号送出手段と、を備えた遠隔制御装置と、
前記所定の表示制御装置に該当する装置であって、所定の複数の制御対象機器のうちの一の制御対象機器の制御に対する制御操作の種別を特定する各個のパターンを含む制御操作パターンを、表示可能な前記複数の制御対象機器に対応する制御操作パターンのうちから選択的に前記表示画面上に映出させる制御操作パターン選択映出手段と、前記制御操作パターン選択映出手段よって前記表示画面上に映出された制御操作パターンにおける一の制御操作の種別を表す部位に前記カーソル移動操作信号に応答して移動したカーソルが位置したときに当該確定操作信号に応答して当該カーソルの位置に関する確定操作の認識をしたときには、当該一の制御操作の種別を表し且つ当該制御対象機器の操作に適合する制御対象機器操作信号を形成する制御対象機器操作信号形成手段と、前記制御対象機器操作信号形成手段によって形成された制御対象機器操作信号を当該制御対象機器に向けて送出する制御対象機器操作信号送出手段と、を備えた表示制御装置と、
前記表示制御装置から送出された制御対象機器操作信号に応答して所定の動作態様で動作するように構成された制御対象機器と、
を含んで構成されていることを特徴とする制御システム。
【００２２】
上記（５）の制御システムによれば、使用者が遠隔制御装置の筐体を持って動かし、その位置や姿勢を変化させることによってカーソル移動操作信号が、且つ、確定操作受付手段を使用者が操作することによって確定操作信号が、各生成されて両信号が表示制御装置に供給される。一方、表示制御装置側では、所定の複数の制御対象機器（例えばＰＶＲやＶＣＲ等）のうちの一の制御対象機器の制御に対する制御操作の種別（例えば、起動、停止、ポーズ、ＥＰＧ操作等々）を特定する各個のパターンを含む制御操作パターン（例えば、通常のリモートコントローラの操作キー配列と類似のパターン表示等）を、制御操作パターン選択映出手段によって、表示可能な複数の制御対象機器に対応する制御操作パターンのうちから選択的に表示画面上に映出させる。このようにして表示画面上に映出された制御操作パターンに対して上述の遠隔制御装置によるカーソルの移動と確定の操作に応答して確定した一の制御操作の種別に該当する当該制御対象機器の操作に適合する制御対象機器操作信号（起動、停止、ポーズ、ＥＰＧ操作等々のうちの何れかを行わせるための操作信号）が制御対象機器操作信号形成手段によって形成される。該形成された制御対象機器操作信号が制御対象機器操作信号送出手段によって当該制御対象機器に向けて送出される。制御対象機器は該供給された制御対象機器操作信号に応答して所定の動作態様で動作する。これにより、一の遠隔制御装置によって上記の表示制御装置に附設された表示画面上でのカーソルとその確定の操作を行いながら、この表示制御装置を介して、種々の目的とする制御対象機器を制御することができる。
【００２３】
（６）前記制御対象機器操作信号形成手段は、制御操作の種別に対応する個々の制御対象機器毎の制御対象機器操作信号の関係を特定するテーブルデータを参照して、自己に供給された前記制御操作特定信号に基づいてこの制御操作特定信号に対応する制御対象機器操作信号を形成するように構成されていることを特徴とする（２）に記載の表示制御装置。
【００２４】
上記（６）の表示制御装置によれば、（２）の表示制御装置における作用において特に、制御操作の種別に対応する個々の制御対象機器毎の制御対象機器操作信号の関係を特定するテーブルデータを参照することによって、一の遠隔制御装置と一の表示制御装置との組み合わせによって、多数の、乃至は、多種の制御対象機器を夫々制御するための制御対象機器操作信号を得て、これらの各個の制御対象機器を制御することができる。
【００２５】
（７）前記テーブルデータを構成するデータを、外部から信号伝送路を通して取得するデータ取得手段を更に備え、前記制御対象機器操作信号形成手段は、前記データ取得手段によって取得したデータで構成されたテーブルデータを参照して、自己に供給された前記制御操作特定信号に基づいてこの制御操作特定信号に対応する制御対象機器操作信号を形成するように構成されていることを特徴とする（６）に記載の表示制御装置。
【００２６】
上記（７）の表示制御装置によれば、（６）の表示制御装置における作用において特に、外部のデータベース等からデータ取得手段によって例えばＩＰ網等の信号伝送路を通して取得したデータで構成されたテーブルデータを参照して、制御対象機器操作信号形成手段が自己に供給された制御操作特定信号に対応する制御対象機器操作信号を形成するため、テーブルデータに係るデータの更新等についても容易に対応することができる。
【００２７】
（８）前記テーブルデータを構成するデータを、使用者による操作を受け付けることにより形成するＧＵＩデータ形成手段を更に備え、前記制御対象機器操作信号形成手段は、前記ＧＵＩデータ形成手段よって形成されたデータで構成されたテーブルデータを参照して、自己に供給された前記制御操作特定信号に基づいてこの制御操作特定信号に対応する制御対象機器操作信号を形成するように構成されていることを特徴とする（６）に記載の表示制御装置。
【００２８】
上記（８）の表示制御装置によれば、（６）の表示制御装置における作用において特に、当初の使用時等に使用者がＧＵＩデータ形成手段を通して形成したデータで構成された個々の制御対象機器に関して意図通りに適合したテーブルデータを参照して一の遠隔制御装置と一の表示制御装置との組み合わせによって、多数の、乃至は、多種の制御対象機器を夫々制御するための制御対象機器操作信号を得て、これらの各個の制御対象機器を的確に制御することができる。
【００２９】
（９）前記制御対象機器操作信号送出手段は、赤外線による制御対象機器操作信号を当該制御対象機器に向けて送出するように構成されていることを特徴とする（２）に記載の表示制御装置。
【００３０】
上記（９）の表示制御装置によれば、（２）の表示制御装置における作用において特に、既に広汎に普及している赤外線による制御対象機器操作信号によって制御対象機器を制御可能であるため、多種多様な制御対象機器に対応可能である。
【００３１】
（１０）前記制御対象機器操作信号送出手段は、ＤＬＮＡ（Digital Living Network Alliance）所定のガイドラインに準拠した通信方式で制御対象機器操作信号を当該制御対象機器に向けて送出するように構成されていることを特徴とする（２）に記載の表示制御装置。
【００３２】
上記（１０）の表示制御装置によれば、（２）の表示制御装置における作用において特に、ＤＬＮＡ所定のガイドラインに適合する種々の制御対象機器に対する制御とコンテンツ等のデータの授受を可能にする方途が開かれ得る。
【００３３】
（１１）該当する制御対象機器の制御に対する制御操作の種別を特定する各個のパターンを含む制御操作パターンを表すデータを外部から信号伝送路を通して取得するパターンデータ取得手段を更に備え、前記制御操作パターン選択映出手段は、前記パターンデータ取得手段を通して取得したデータに基づいて制御操作パターンを前記表示画面上に映出させるように構成されていることを特徴とする（４）に記載の表示制御装置。
【００３４】
上記（１１）の表示制御装置によれば、（４）の表示制御装置における作用において特に、外部のデータベース等から、パターンデータ取得手段によって、例えばＩＰ網等の信号伝送路を通して取得したデータに基づいて制御操作パターンを表示画面上に映出させる。制御対象機器となり得る新機種が追加される趨勢にあっても、これらの新機種等に適合する制御操作パターンを外部のデータベース等から、パターンデータ取得手段によって取得することによって、容易に対応可能である。
【００３５】
（１２）前記制御操作パターンにおける各個のパターンと該当する制御対象機器の制御に対する制御操作の種別との対応関係を表すデータを外部から信号伝送路を通して取得するパターン対応操作データ取得手段を更に備え、前記制御対象機器操作信号形成手段は前記パターン対応操作データ取得手段によって取得されたデータに基づいて制御対象機器操作信号を形成するように構成されていることを特徴とする（４）に記載の表示制御装置。
【００３６】
上記（１２）の表示制御装置によれば、（４）の表示制御装置における作用において特に、外部のデータベース等から、パターン対応操作データ取得手段によって、例えばＩＰ網等の信号伝送路を通して取得したデータに基づいて制御対象機器操作信号を形成する。制御対象機器となり得る新機種が追加され、或いは、制御コードが変更されるようなことが発生しても、変化に適合するように対応することが容易にできる。
【００３７】
（１３）使用者によるＧＵＩを用いた対話形式の操作を受け付けることによってデータを形成するＧＵＩデータ形成手段を更に備え、前記パターン対応操作データ取得手段は、前記ＧＵＩデータ形成手段を通して前記制御操作パターンにおける各個のパターンと該当する制御対象機器の制御に対する制御操作の種別との対応関係を表すデータを取得するように構成されていることを特徴とする（１２）に記載の表示制御装置。
【００３８】
上記（１３）の表示制御装置によれば、（１２）の表示制御装置における作用において特に、当初の使用時等に使用者がＧＵＩデータ形成手段を通して形成した意図通りのデータに基づいて制御操作パターンにおける各個のパターンと該当する制御対象機器の制御に対する制御操作の種別との対応関係を表すデータが準備されるため、一の遠隔制御装置と一の表示制御装置との組み合わせによって、多数の、乃至は、多種の制御対象機器を夫々制御するための制御対象機器操作信号を得て、これら各個の制御対象機器を的確に制御することができる。
【００３９】
（１４）前記制御対象機器操作信号送出手段は、赤外線による制御対象機器操作信号を当該制御対象機器に向けて送出するように構成されていることを特徴とする（４）に記載の表示制御装置。
【００４０】
上記（１４）の表示制御装置によれば、（４）の表示制御装置における作用において特に、
既に広汎に普及している赤外線による制御対象機器操作信号によって制御対象機器を制御可能であるため、多種多様な制御対象機器に対応可能である。
【００４１】
（１５）前記制御対象機器操作信号送出手段は、ＤＬＮＡ（Digital Living Network Alliance）所定のガイドラインに準拠した通信方式で制御対象機器操作信号を当該制御対象機器に向けて送出するように構成されていることを特徴とする（４）に記載の表示制御装置。
【００４２】
上記（１５）の表示制御装置によれば、（４）の表示制御装置における作用において特に、ＤＬＮＡ所定のガイドラインに適合する種々の制御対象機器に対する制御とコンテンツ等のデータの授受を可能にする方途が開かれ得る。
【発明を実施するための最良の形態】
【００４３】
以下、本発明の実施の形態を図面を参照して説明する。尚、以下に参照する図においては、便宜上、説明の主題となる要部は適宜誇張し、要部以外については適宜簡略化し乃至省略されている。
図１は、表示制御装置（デジタルテレビジョン受像機本体）と遠隔制御装置（同デジタルテレビジョン受像機本体に対応するリモートコントローラ）と、制御対象機器（ＰＶＲ）を含んで構成される本発明の実施形態としての制御システム（デジタルテレビジョン受像機を介してのＰＶＲの遠隔制御システム）を表わす概念図である。
【００４４】
図１において、表示制御装置としてのデジタルテレビジョン受像機本体（以下、デジタルテレビという）はこれに対応する遠隔制御装置としてのリモートコントローラ２００から無線信号によるカーソル移動操作信号Ｓｃ及び確定操作信号Ｓｄを受けてその画面上でカーソル（例えば矢印形のカーソルポインタ等）の移動と確定動作が制御され得るように構成されている。
【００４５】
制御対象機器としての例えばＰＶＲ３００はリモートコントローラ２００の操作に基づいて表示制御装置としてのデジタルテレビ１００で形成される制御信号が供給されて所定の態様で作動する。
デジタルテレビ１００は、その筐体１０１のスクリーン１０２上に通常のように映像を映出すると共に、以下に詳述する表示制御装置として機能するときには、所定の制御対象機器（例えばＰＶＲやＶＣＲ等が該当し、図１の場合はＰＶＲ３００）の制御に対する制御操作の種別（起動、停止、ポーズ、ＥＰＧ操作等々）を特定する制御操作パターン（例えば、ＰＶＲ３００に付属の専用リモートコントローラの操作キーの機能に相応するボタンのようなパターン表示）を制御操作パターン映出手段によって（本体に一体的であると別体であるとを問わずに）附設された表示器の表示画面であるスクリーン１０２上に映出させる。
【００４６】
この制御操作パターンに関して、使用者が操作するリモートコントローラ２００から無線によって供給されたカーソル移動操作信号Ｓｃ及び確定操作信号Ｓｄに応答してカーソルの移動と確定とが実行され、該実行されたカーソルの移動と確定に応じて制御操作の種別が確定する。
該確定した制御操作の種別に対応した制御操作特定信号が制御操作特定信号生成手段によって生成され、該生成された制御操作特定信号に基づいて当該制御対象機器（図１の場合ではＰＶＲ３００）の操作に適合する制御対象機器操作信号が制御対象機器操作信号形成手段によって形成される。
【００４７】
尚、このデジタルテレビ１００では、スクリーン１０２の底辺よりも低い位置にステレオ式音響装置を構成する左側スピーカ１０３及び右側スピーカ１０４、及び、このスクリーン１０２の底辺の右直下にリモートコントローラ２００からの赤外光等による通常のような制御信号を受ける受光窓１０５が備えられている。
一方、リモートコントローラ２００は、デジタルテレビ１００（その筐体１０１）とは離隔した位置に配置可能な独立した筐体２０１を持つ。この筐体２０１は、使用者によって自己の位置及び姿勢が変化するように取り扱われ得る外形寸法を有し、上面に確定操作ボタン２０２が配され、内部に後に図面を参照して詳述するような所定の構成要素を収納する。
【００４８】
これらの構成要素について簡略に列挙すれば、筐体２０１の位置及び姿勢に係る相対的変化を非接触で検出する例えばジャイロセンサ等と通称されるような相対変位検出手段と、表示制御装置(デジタルテレビ１００）の表示画面（スクリーン１０２）上に映出される例えば矢印形のカーソル（ポインタ）等であるカーソルをこの相対変位検出手段の検出出力に応じて移動させるためのカーソル移動操作信号Ｓｃを形成するカーソル移動操作信号形成手段と、このカーソル移動操作信号形成手段で形成されたカーソル移動操作信号Ｓｃを所定態様の信号としてデジタルテレビ１００に向けて送出するカーソル移動操作信号送出手段と、デジタルテレビ１００のスクリーン１０２上に映出されるカーソルの位置に関する当該使用者による確定操作を受け付ける確定操作受付手段（確定操作ボタン２０２に対する操作を受け付ける回路部等）と、この確定操作受付手段に対する操作に応答して確定操作信号Ｓｄを形成する確定操作信号形成手段と、この確定操作信号形成手段によって形成された確定操作信号Ｓｄを所定態様の信号としてデジタルテレビ１００に向けて送出する確定操作信号送出手段と、が含まれる。
【００４９】
上述のデジタルテレビ１００及びリモートコントローラ２００並びに制御対象機器としての例えばＰＶＲ３００とを含んで、本発明の実施の形態としての制御システム（ＰＶＲの遠隔制御システム）１００＋２００＋３００が構成される。
図２は、図１のデジタルテレビ１００の構成を示すブロック図である。アンテナ１１０で受信された放送波は復調・フィルタリング部１２０で復調され、トランスポートストリームが抽出され、視聴者（ユーザ）による選局に応じた映像及び音声並びに番組情報を取得するためのフィルタリングが行われる。復調・フィルタリング部１２０の映像出力は映像処理部１３０に供給され、音声出力は音声処理部１４０に供給され、番組情報はＯＳＤ部１３１に供給される。
【００５０】
映像処理部１３０の出力にはＯＳＤ部１３１からの出力が重畳され、このような番組情報が重畳された映像信号により液晶表示器１６０に映像が映出されるが、液晶表示器１６０の前段には映像処理部１３０（チューナ出力）の他にＰＶＲ（Personal Video Recorder）３００等のような他の種々の映像再生装置の出力のうちの何れか一のものを選択的に表示装置に供給する入力切換部１６１が介在している。
【００５１】
尚、表示装置（本例では液晶表示器１６０）自体は、自己が保有すると外部のものであるとを問わずに適用されるものであってよい。
またＯＳＤ部１３１の出力に基づいて液晶表示器１６０の画面上に番組情報し、更に、このデジタルテレビ１００が制御対象機器の制御を行うための表示制御装置として機能するときには、制御操作パターン（リモートコントローラの操作キーの機能に相応するボタンのようなパターン表示等）画面内の一画を占めるようにして表示され、これに重畳するようにして、当該制御操作パターン上の目的とする位置に特定の矢印型等のカーソルが表示される。
【００５２】
上述のような表示を一例とするこのデジタルテレビ１００のＧＵＩ（Graphical User Interface）が、ＯＳＤ部１３１から液晶表示器１６０に所定のパターンを映出するための信号を供給することによって実現されるように構成されている。詳細は後述する。
一方、復調・フィルタリング部１２０からの音声信号を処理する音声処理部１４０の出力は増幅器１４１を介して対応するスピーカ１４２に供給されて、ステレオ音声が発音される。このようにステレオ音声が発音されるために増幅器１４１及びスピーカ１４２は左チャンネルと右チャンネルとの２系統が用意されているが、図２では便宜的に、両系統を一まとめにして表現してある。
【００５３】
上述の復調・フィルタリング部１２０、音声処理部１４０、ＯＳＤ部１３１、及び、入力切換部１６１を含むデジタルテレビ１００の系全体を統括的に制御するマイクロプロセッサを主要な構成要素として含むシステムコントローラ１７０が設けられている。このシステムコントローラ１７０には視聴者（ユーザ）による操作を受け付ける操作キー等を含んで構成される操作部１７１の出力が供給されるようになされ、また、メモリ１７２がアクセス可能に接続されて所要のタイミングでデータ（情報）の格納と読み出しが実行される。
【００５４】
一方、図１を参照して既述の受光窓１０５の背後に赤外光による通常のようなデジタルテレビ１００を遠隔制御するための信号を受けるように設けられた赤外光受光部１８１の出力、及び、Bluetooth（登録商標）やＩＥＥＥ８０３．１１ａ乃至はＩＥＥＥ８０３．１１ｂ準拠の無線通信を行って液晶表示器１６０の画面上でのカーソルの移動と確定に係る信号の授受を対応するリモートコントローラ２００と行う無線通信部１８２がシステムコントローラ１７０の管理下で作動するように接続されている。上記において、赤外光受光部１８１では、対応するリモートコントローラから与えられる、電源のオン・オフ、音量の調節等、基本的な動作の制御に関する赤外光による信号を受けて、このデジタルテレビ１００が他の制御対象機器の制御のためでなく、自らが応動可能な赤外光制御モードでの動作をシステムコントローラ１７０の管理下で可能にするものである。
【００５５】
更に、システムコントローラ１７０には、この種の映像機器において通常の仕様とされるＩＰ網４００との接続を可能にするためのＩＰ網インターフェース部１５１が接続されている。本例のデジタルテレビ１００は、このＩＰ網インターフェース部１５１を通してＩＰ網４００と、従って、ＩＰ網４００を介してサーバ４５０のような情報源と結ばれて広範囲に情報の授受を行うことが可能である。更にまた、このＩＰ網４００を介してパケットデータの授受を行い得るように構成された他機のチューナに選曲等のコマンドを供給することもできる。
【００５６】
更にまた、所謂ホーム・ネットワークでデジタルＡＶ機器同士やパーソナルコンピュータを相互に接続し、動画、音楽、静止画等のデータを相互利用する仕様に係るＤＬＮＡ（Digital Living Network Alliance）所定のガイドラインに準拠した通信方式でＰＶＲ等の外部機器との接続を行うためのＤＬＮＡインターフェース部１５２もシステムコントローラ１７０に接続されている。図示の例では、このＤＬＮＡインターフェース部１５２を通してデジタルテレビ１００とＰＶＲ３００（ＰＶＲ−１）とはその操作に係る制御信号の授受を行う。
【００５７】
システムコントローラ１７０はその各該当する機能部の働きによって本発明の枢要な構成要件としての各手段乃至それを構成する部分として機能するようになされている。
即ち、所定の制御対象機器（例えば、ＰＶＲやＶＣＲ等）の制御に対する制御操作の種別を特定する制御操作パターン（例えば、ＰＶＲやＶＣＲ等に各付属する専用のリモートコントローラの操作キーの機能に相応するボタンを表すようなパターン）を表示画面上に映出させる制御操作パターン映出手段はＯＳＤ部１３１とシステムコントローラ１７０の該当する機能部によって構成される。
【００５８】
また、制御操作パターン映出手段よって表示画面上に映出された制御操作パターンにおける一の制御操作の種別を表す部位にリモートコントローラ２００からのカーソル移動操作信号Ｓｃに応答して移動したカーソルが位置したときに確定操作信号Ｓｄに応答して当該カーソルの位置に関する確定操作の認識をしたときには、当該一の制御操作の種別を表す制御操作特定信号を生成する制御操作特定信号生成手段は、無線通信部１８２とシステムコントローラ１７０の該当する機能部によって構成される。
【００５９】
更に、制御操作特定信号生成手段によって生成された制御操作特定信号に基づいて当該制御対象機器（例えば、図１のような場合ではＰＶＲ３００）の操作に適合する制御対象機器操作信号を形成する制御対象機器操作信号形成手段は、例えば、メモリ１７２とこのメモリ１７２に用意されたテーブルデータを参照して特定の操作とこれを行う制御対象機器の機種等に適合した信号との関係を対照して適切な信号を形成するように機能するシステムコントローラ１７０の該当する機能部によって構成される。
【００６０】
上述のような制御対象機器操作信号形成手段によって形成された制御対象機器操作信号を当該制御対象機器に向けて送出する制御対象機器操作信号送出手段は、ＩＰ網インターフェース部１５１とシステムコントローラ１７０の該当する機能部によって構成され得る。この構成を備える場合は、ＩＰ網インターフェース部１５１から既述のＩＰ網４００を介してパケットデータの授受を行い得るように構成されたチューナ１２１（他機としてのチューナや、自機が複数のチューナを備える場合にはそれらのチューナ）、或いは、ＰＶＲ等に選曲等の制御対象機器操作信号（コマンド）を供給することができる。
【００６１】
また、制御対象機器操作信号送出手段を、ＤＬＮＡインターフェース部１５２とシステムコントローラ１７０の該当する機能部によって構成し得る。この構成を備える場合は、図１の例におけるように、このＤＬＮＡインターフェース部１５２を通してデジタルテレビ１００とＰＶＲ３００（ＰＶＲ−１）とはその操作に係る制御信号の授受を行う。この制御信号の授受は有線であってもよく、また、無線であってもよい。ＤＬＮＡインターフェース部１５２を備えることにより、ＤＬＮＡ所定のガイドラインに適合する種々の制御対象機器に対する制御とコンテンツ等のデータの授受を可能にする方途が開かれ得る。
【００６２】
更にまた、制御対象機器操作信号送出手段を、制御対象機器に付属の一般的な赤外光によるリモートコントローラにおけるような赤外光の制御信号を投射するように構成されシステムコントローラ１７０にその管理下で作動するように接続された赤外光投射部１８３とシステムコントローラ１７０の該当する機能部によって構成し得る。
この構成を備える場合は、表示制御装置と各種の制御対象機器（図ではＰＶＲ３００、即ち、ＰＶＲ−２を例示）との関係は、よく普及している赤外光式のリモートコントローラでそれらの制御対象機器を操作する場合と全く同様であり、制御対象機器側は従前のような形式のものまでを含み極めて多岐に亘る機種が本発明のシステムの構成要素たる被制御装置として制御され得ることになる。
【００６３】
また、ユーザによる操作部１７１に対する映像情報源を選択するための操作、或いは、遠隔操作に基づいて赤外光受光部１８１で受けた映像情報源を選択する信号に応じて、システムコントローラ１７０から入力切換部１６１に与えられる指令に応じて、この入力切換部１６１が液晶表示器１６０に供給する映像情報源を選択する。これによって、映像処理部の出力（チューナ出力）、又は、ＰＶＲ３００の再生出力、若しくは、その他の映像信号源からの出力がユーザの任意に応じて選択されて液晶表示器１６０に供給され映像が映出されることになる。
【００６４】
図３は、図１の制御システム中のリモートコントローラ２００の構成を示すブロック図である。図１を参照して説明した独立した筐体２０１には自己の位置の相対的変化を非接触で検出する公知の慣性センサや所謂ジャイロ等で構成される相対位置検出手段２１１が設けられている。昨今開発され公知の慣性センサの中には極めて小型で検出精度に優れたものがあるため、このようなセンサを適用すれば遠隔制御装置の位置や姿勢が的確に検出され得る。この相対位置検出手段２１１における検出特性を例えば特性可変のフィルタでフィルタリング処理する等して調整する検出特性調整部２１２が設けられ、その出力がシステムコントローラ２３０に供給されるように接続されている。
【００６５】
この検出特性調整部２１２によって、筐体２０１の位置及び姿勢に係る相対的変化を非接触で検出するに際しての当該相対的変化の量乃至速度に対する検出値の対応関係を適宜に変更することによって、遠隔制御装置（リモートコントローラ２００）を用いる目的、場所、時間、使用者の個性や直感等の諸条件によく適合した遠隔制御のための操作を操作者の任意により選択することが可能になる。尚、フィルタの特性の変更は、不図示の所定の調整部から行い得るように構成されている。
【００６６】
システムコントローラ２３０はリモートコントローラ２００の回路系を統括的に制御し種々の演算を実行するマイクロプロセッサを主要な構成要素として含んで構成され、その各該当する機能部の働きによって本発明の枢要な構成要件としての各手段として機能するようになされている。図１を参照して説明した赤外光による通常のような制御信号を発する赤外光制御信号投射部２２０もこのシステムコントローラ２３０に接続されている。即ち、このリモートコントローラ２００の使用者が筐体２０１を特定の動きで（いわば、振り加減で）変位させたことに応じて相対位置検出手段２１１及び検出特性調整部２１２を通して出力される相対位置検出信号がシステムコントローラ２３０に供給されることに応答して制御信号を発する。
【００６７】
システムコントローラ２３０には、リモートコントローラ２００の筐体２０１上面に設けられた確定操作ボタン２０２（図１）をその構成要素として含みこれに対する使用者による確定操作を受け付ける確定操作受付部２３１からの操作信号が供給されるように接続されている。即ち、確定操作ボタン２０２、確定操作受付部２３１、及び、システムコントローラ２３０の該当する機能部によって、確定操作受付手段に対する操作に応答して確定操作信号を形成する確定操作信号形成手段が構成されている。
【００６８】
尚、システムコントローラ２３０にはこれにアクセスしてデータの授受を行い得るようにメモリ２３２が附設されている。
また、このリモートコントローラ２００には特に、図１を参照して既述のようにデジタルテレビ１００と無線通信を行うための無線通信部２５１が設けられ、その動作がシステムコントローラ２３０によって管理されるように接続されている。
【００６９】
本発明の実施の形態としてのリモートコントローラ２００では、ユーザが筐体２０１を持って例えばデジタルテレビ１００のスクリーン１０２に映出されたカーソル（例えば矢印形のカーソルポインタ等）に向けてその移動軌跡を描くように動かしてその位置や姿勢を変える操作に応答して、相対位置検出手段２１１で生成され検出特性調整部２１２を介して供給される検出値に対応する変位データがシステムコントローラ２３０で生成される。
【００７０】
この変位データはスクリーン１０２上に映出されるカーソルを移動させるためのカーソル移動操作信号に相当するものである。即ち、相対位置検出手段２１１、検出特性調整部２１２、及び、システムコントローラ２３０の該当する機能部によって、所定の表示制御装置の表示画面上に映出されるカーソルを相対変位検出手段の検出出力に応じて移動させるためのカーソル移動操作信号を形成するカーソル移動操作信号形成手段が構成されている。
【００７１】
一方、上述のようにしてカーソル移動操作信号形成手段で形成されたカーソル移動操作信号は、システムコントローラ２３０によって所要の信号変換処理（データの形式の変換処理）を施されて該システムコントローラ２３０の管理下で作動する無線通信部２５１で表示制御装置たるデジタルテレビ１００（その無線通信部１８２）に適合する所定態様の無線信号に変換されて送出される。
【００７２】
また一方、上述のようにして確定操作信号形成手段で形成された確定操作信号も、システムコントローラ２３０によって所要の信号変換処理（データの形式の変換処理）を施されて該システムコントローラ２３０の管理下で作動する無線通信部２５１で表示制御装置たるデジタルテレビ１００（その無線通信部１８２）に適合する所定態様の無線信号に変換されて送出される。
【００７３】
即ち、無線通信部２５１及びシステムコントローラ２３０の該当する機能部によって、カーソル移動操作信号を所定態様の信号として表示制御装置に向けて送出するカーソル移動操作信号送出手段と、確定操作信号を所定態様の信号として前記表示制御装置に向けて送出する確定操作信号送出手段とが構成されている。尚、無線通信部２５１は、図２におけるデジタルテレビ１００の無線通信部１８２と同様に、Bluetooth（登録商標）やＩＥＥＥ８０３．１１ａ乃至はＩＥＥＥ８０３．１１ｂ準拠の無線通信をシステムコントローラ２３０の管理下で行うように構成されている。
【００７４】
図４は、本発明の実施の形態としての表示制御装置であるデジタルテレビの制御モードにおけるスクリーン上での表示例を表す図である。
図５は、図４の実施の形態の変形例としての表示制御装置であるデジタルテレビの制御モードにおけるスクリーン上での表示例を表す図である。
図６は図１、図２、図４、及び、図５に係る表示制御装置の制御モードにおける動作を表すフローチャートである。
【００７５】
次に、図６のフローチャートに沿って、適宜、図４及び図５等を参照しつつ表示制御装置の動作について説明する。表示制御装置が起動された後、リモートコントローラ２００を所定態様で振ったり（例えば、前端を上下に揺するように振る等）、或いは、確定操作ボタン２０２を所定時間（例えば２秒間）押し続けたりするような特定の操作をすることによって、赤外光等による通常のような制御信号をデジタルテレビ１００の受光窓１０５に（従って、図２の赤外光受光部１８１に）与えて、このデジタルテレビを介して制御対象機器を制御する制御モードにすることができる。
【００７６】
制御モードに遷移すると、選択されている制御対象機器を識別する動作が開始する（ステップＳ６０１）。制御対象機器の選択は、例えば、制御モードの設定操作と同様に、リモートコントローラ２００の操作によって赤外光による通常のような制御信号をデジタルテレビ１００に与えることによって行われるが、その他の方法として、デジタルテレビ１００の起動の当初に、制御対象機器を選択するための画面が映出されるようにして、その画面に対して、カーソルの移動と確定の操作を行って選択するようにしてもよい。
【００７７】
選択された制御対象機器が液晶表示器１６０に接続されるべき映像機器である場合は、当該制御対象機器の出力が、図２を参照して説明した入力切換部１６１を通してこの液晶表示器１６０に供給されるように回路が切換えられる。
制御対象機器の選択乃至接続が識別されるのを待機し（ステップＳ６０２）、識別されたときには、スクリーン１０２の表示態様を制御操作パターン映出表示にする（ステップＳ６０３）。図４及び図５にこの制御操作パターン映出表示の例が夫々示されている。
【００７８】
図４の表示例では、映像表示領域Ｄ４１をスクリーン１０２の左上方向に少し縮小し、スクリーン１０２右端及び下端に沿った各一定幅の帯状の領域Ｄ４２１，Ｄ４２２がスクリーン１０２の右下で直交したような形状で単色の地色の制御情報表示領域Ｄ４２が設定される。
領域Ｄ４２１には制御対象機器に対する制御操作の種別（起動、停止、ポーズ、ＥＰＧ操作等々）を特定する制御操作パターン（例えば、ＰＶＲに付属の専用リモートコントローラの操作キーの機能に相応するボタンのようなパターン表示）を制御操作パターン映出手段によって映出する。
【００７９】
一方、図５の表示例では、スクリーン１０２の全域を映像表示領域Ｄ５１とし、この映像表示領域Ｄ５１のうち相対的に周辺部に偏った部位（図示の例では右上に偏った部位）Ｄ５２に制御操作パターンをスーパーインポーズする。
ステップＳ６０３に次いで、識別された制御対象機器の名称或いは略称等をスクリーン１０２に表示する（ステップＳ６０４）。図４の表示例では、画面下部の制御情報表示領域Ｄ４２２に「ＰＶＲ−１」と表示し、図５の表示例では、スクリーン１０２の右上の部位Ｄ５２に「ＰＶＲ−１」とスーパーインポーズする。
【００８０】
次いで、リモートコントローラ２００からのカーソル移動操作信号Ｓｃの受信動作に移行する（ステップＳ６０５）。カーソル移動操作信号Ｓｃが受信されるのを待機し（ステップＳ６０６）、受信される毎に、該受信されたカーソル移動操作信号Ｓｃに対応する位置にカーソルを移動させる（ステップＳ６０７）。このようなカーソル移動動作は、ステップＳ６０７に次いで、リモートコントローラ２００からの確定操作信号Ｓｄを受信する動作に移行して（ステップＳ６０８）、この確定操作信号Ｓｄが受信される（ステップＳ６０９）まで繰り返される。
この結果、カーソルは使用者の意図した位置に移動するまで繰り返し移動し、確定操作信号Ｓｄの受信が認識された位置（例えば、ＰＶＲに付属の専用リモートコントローラの操作キーの機能に相応するボタンのようなパターン表示の何れかの部分に重なる位置）に応じて制御操作特定信号が形成される（ステップＳ６１０）。図４の例では、制御情報表示領域Ｄ４２１におけるボタンのようなパターン表示の上に、矢印形のカーソルＣＵが位置し、図５の例では、スクリーン１０２の右上の部位Ｄ５２におけるボタンのようなパターン表示の上に、矢印形のカーソルＣＵが位置し、各位置に応じた制御操作特定信号が形成される。
【００８１】
制御操作特定信号は制御操作の種別（起動、停止、ポーズ、ＥＰＧ操作等々）を特定するものであり、この信号が、図２を参照して説明したシステムコントローラ１７０がこれに附設されたメモリ１７２に用意されたテーブルを参照することによって、制御対象機器（上述の例ではＰＶＲ−１）に適合した制御対象機器操作信号が形成される（ステップＳ６１１）。
【００８２】
ステップＳ６１１で形成された制御対象機器操作信号は、例えば、図２を参照して説明した赤外光投射部１８３とシステムコントローラ１７０の該当する機能部によって構成された制御対象機器操作信号送出手段によって、赤外光の制御信号として当該制御対象機器に送出される（ステップＳ６１２）。尚、既述のように、制御対象機器操作信号送出手段は、上述のような態様の他、ＩＰ網インターフェース部１５１とシステムコントローラ１７０の該当する機能部によって構成され、或いはまた、ＤＬＮＡインターフェース部１５２とシステムコントローラ１７０の該当する機能部によって構成され得る。これらの態様の制御対象機器操作信号送出手段によって当該制御対象機器に制御対象機器操作信号が送出される状況は、図２を参照して説明したとおりである。
【００８３】
上記に説明したような表示制御装置（デジタルテレビ）によれば、制御操作の種別に対応する個々の制御対象機器毎の制御対象機器操作信号の関係を特定するテーブルデータを参照することによって、一の遠隔制御装置と一の表示制御装置との組み合わせによって、多数の、乃至は、多種の制御対象機器を夫々制御するための制御対象機器操作信号を得て、これらの各個の制御対象機器を制御することができる。
【００８４】
以上において参照した図４おいて、スクリーン１０２上の領域Ｄ４２２の右寄りに破線図示のパターンＰ４は、領域Ｄ４２１に表示された標準的な汎用の制御モードでの制御動作（制御操作パターン）にはない特定の制御対象機器（機種）に関して特有の、特殊キーでの制御を行うために用いられる制御キー（ボタン）のパターンである。このような特殊キーでの制御を行うモードへは、所要に応じて、標準的な汎用の制御モードの中から操作を行って遷移し、そのモードでこれらの特殊キーの機能を使用することになる。
【００８５】
同様に、図５において、スクリーン１０２上の右下の部位Ｄ５２３にスーパーインポーズされる破線図示のパターンＰ５は、Ｄ５２の部位に表示された標準的な汎用の制御モードでの制御動作（制御操作パターン）にはない特定の制御対象機器（機種）に関して特有の、特殊な制御を行うために用いられる制御キー（ボタン）のパターンである。図４のものと同様、このような特殊キーでの制御を行うモードへは、所要に応じて、標準的な汎用の制御モードの中から操作を行って遷移し、そのモードでこれらの特殊キーの機能を使用することになる。
【００８６】
図７、図８、及び、図９は、表示制御装置（デジタルテレビ）に図６のような動作を行うことを可能にする機能が付与されるに際しての準備動作を表すフローチャートであり、特に、図６のフローチャートにおけるステップＳ６１１、Ｓ６１２で、本表示制御装置が制御対象機器の機種毎に適合した制御対象機器操作信号を形成し、送出する機能を果たすことが可能になるための準備動作に関するものである。
【００８７】
図７は、表示制御装置（デジタルテレビ１００）に対し、例えば、ＰＶＲやＶＣＲ等のような制御対象機器毎に、各機種毎に付属の専用リモートコントローラのものと同じ赤外光による制御信号としての制御対象機器操作信号を形成し送出することを可能にさせるための信号変換テーブルが、例えば図２を参照して説明したメモリ１７２に登録されるときの準備動作の概要を表すフローチャートである。
【００８８】
先ず、使用者が既述のリモートコントローラ１００の赤外光による基本操作機能を用いる等してモード選択を行うと、本表示制御装置１００が登録モードになる（ステップＳ７０１）。次いで使用者が行う選択操作によって、制御対象機器（例えば、ＰＶＲ−１）に付属の赤外光リモートコントローラからの赤外光の受光を待機する動作に入る（ステップＳ７０２）。
【００８９】
次いで、該当するリモートコントローラからの赤外光の入力を待機し（ステップＳ７０３）、入力があったときには、その入力に基づいてその制御対象機器がそれに関する赤外光のデータが既に登録済みの機器（機種）であるか否かを判定する（ステップＳ７０４）。
ステップＳ７０４で、制御対象機器がそれに関する赤外光のデータが既に登録済みの機器（機種）ではないと判定されたときには、次のステップＳ７０５で新たにその制御対象機器に関する情報（赤外光の信号に関するデータ）を取得するための機器情報取得のルーチンに入り、制御対象機器がそれに関する赤外光のデータが既に登録済みの機器（機種）であると判定されたときには、使用者による確認を俟って（ステップＳ７０６）、使用者の判断が肯定的であるとき（ステップＳ７０７）にはこの準備操作を終了する。尚、使用者の判断が肯定的でないとき（ステップＳ７０７）にはステップＳ７０１に戻る。
【００９０】
図８は、図７のフローチャートにおけるステップＳ７０５の機器情報取得ルーチンの内容を表すフローチャートである。制御対象機器に関する情報（赤外光の信号に関するデータ）を図２のＩＰ網４００を通してサーバ４５０に接続し、このサーバ４５０から当該情報（データ）を取得するモードが選択されているか否かを判定し（ステップＳ８０１）、サーバに接続してデータを取得するモードが選択されているときにはそのサーバに該当する制御対象機器に関する赤外光のデータが保有されているか否かを判定する（ステップＳ８０２）。
【００９１】
ステップＳ８０２で、そのサーバに、該当する制御対象機器に関する赤外光のデータが保有されていると判定されたときには、該当するデータを所定のルート（図２では、サーバ４５０→ＩＰ網４００→ＩＰ網インターフェース部１５１→システムコントローラ１７０）で取得し（ステップＳ８０３）、メモリ１７２に登録する（ステップＳ８０４）。
ステップＳ８０１でサーバに接続してデータを取得するモードが選択されていないときには使用者が手動で所要のデータを設定する（ステップＳ８０５）。
【００９２】
以上、図８のフローチャートのステップＳ８０２〜ステップＳ８０４に基づいて説明した態様の装置では、外部のデータベース等からデータ取得手段によってＩＰ網の信号伝送路を通して取得したデータで構成されたテーブルデータを参照して、制御対象機器操作信号形成手段が自己に供給された制御操作特定信号に対応する制御対象機器操作信号を形成できるようになるため、テーブルデータに係るデータの更新等についても容易に対応することができる。
【００９３】
図９は、図８のフローチャートにおけるステップＳ８０５の使用者が手動で所要のデータを設定するときの手順に関するフローチャートである。
先ず、手動によってデータ登録の対象とする制御対象機器（機種）を選択する（ステップＳ９０１）。この操作は、図６のフローチャートにおけるステップＳ６０１に関して説明したところと同様である。次いで、ステップＳ９０１で選択された制御対象機器（機種）の遠隔操作に係る機能を選択する（ステップＳ９０２）。この機能は、例えば、図４及び図５を参照して説明した制御操作パターン映出表示の例における各個のボタンのパターンに対応するような操作機能である。
【００９４】
次いで、ステップＳ９０２で選択した機能に対応する該当する制御対象機器のコマンド（コードデータ）を手動で設定し得る状態に移行する（ステップＳ９０３）。この設定は、例えば、スクリーン１０２に映出されるＧＵＩ画面を用いての対話形式での入力操作によって行われるが、このステップＳ９０３に移行するとその時点で制御対象機器として選択されている機器に該当するものに類似の既登録のコマンドの有無が判定される（ステップＳ９０４）。
【００９５】
このように類似の既登録のコマンドの有無が判定されるのは、例えば、同じメーカーの製品（ＰＶＲ又はＶＣＲ等）であれば同一の機能（操作）に対しては同一の操作信号（コードデータ）が割り当てられていることが多いため、各機能毎に逐一手動で入力するのに比し格段に能率の良い作業が行われる可能性が高いためである。
ステップＳ９０４でその時点で制御対象機器として選択されている機器に該当するものに類似の既登録のコマンドが存在すると判定されたときには、その類似の既登録のコマンドをその時点で制御対象機器として選択されている機器に該当するものとして仮に設定（登録）して（ステップＳ９０５）、その上で使用者がその登録で妥当であったか否かを確認する（ステップＳ９０６）。
【００９６】
仮登録が妥当であると確認されたときにはそのままの形で本登録とする（ステップＳ９０８）。ステップＳ９０４で類似の既登録のコマンドが存在しないと判定されたとき、及び、ステップＳ９０７で仮登録の内容が妥当でないと判定されたときには、手動入力を行ってこの作業が終了するのを待って（ステップＳ９０９）設定手続きを終了する。
図９のフローチャートを参照して説明したような装置によれば、当初の使用時等に使用者がＧＵＩデータ形成手段を通して形成したデータで構成された個々の制御対象機器に関して意図通りに適合したテーブルデータを参照して一の遠隔制御装置と一の表示制御装置との組み合わせによって、多数の、乃至は、多種の制御対象機器を夫々制御するための制御対象機器操作信号を得て、これらの各個の制御対象機器を的確に制御することができる。
【００９７】
尚、図４及び図５のスクリーン上での表示例については、制御操作パターン映出手段によって映出される制御操作パターンは、標準的な汎用の制御モードでの制御動作に沿うような、必ずしも各個の制御対象機器に対応するようなもの（例えば、各個の機器に付属の専用のリモートコントローラの操作キーのレイアウトに相似のもの）ではないように説明したが、本発明の思想は、各個の制御対象機器に夫々対応する制御操作パターンをスクリーンに映出して、これを用いてそれらの制御対象機器を制御するように構成する技術思想をも包摂していることは勿論である。
【００９８】
このような実施の形態では、端的に言えば、図４及び図５のスクリーン上に制御操作パターン映出手段によって映出される制御操作パターンは、各個の制御対象機器に対応した、例えば、夫々の機器に付属の専用のリモートコントローラの操作キーのレイアウトに相似のようなものである。
また、このような制御操作パターン映出とこれを用いて制御操作を行う場合の制御対象機器操作信号を形成する機能を実現するについては、該当する制御対象機器の制御に対する制御操作の種別を特定する各個のパターンを含む制御操作パターンを表すデータを外部から信号伝送路を通して取得するパターンデータ取得手段と、制御操作パターンにおける各個のパターンと該当する制御対象機器の制御に対する制御操作の種別との対応関係を表すデータを外部から信号伝送路を通して取得するパターン対応操作データ取得手段を更に備えて表示制御装置を構成する。
【００９９】
このような実施の形態によれば、外部のデータベース等から、パターンデータ取得手段によって、例えばＩＰ網等の信号伝送路を通して取得したデータに基づいて制御操作パターンを表示画面上に映出させるため、制御対象機器となり得る新機種が追加される趨勢にあっても、これらの新機種等に適合する制御操作パターンを外部のデータベース等から、パターンデータ取得手段によって取得することによって、容易に対応可能である。
【０１００】
更に、外部のデータベース等から、パターン対応操作データ取得手段によって、例えばＩＰ網等の信号伝送路を通して取得したデータ（テーブル）に基づいて制御対象機器操作信号を形成するため、制御対象機器となり得る新機種が追加され、或いは、制御コードが変更されるようなことが発生しても、変化に適合するように対応することが容易にできる。
【０１０１】
以上説明した実施の形態において、更に、リモートコントローラ２００によって例えば制御対象機器としてのＰＶＲに対して録画を行わしめる操作をしたような場合、デジタルテレビ１００のチューナを当該録画の時間に合わせて起動させ、次いで特定の選局を行って、選局された放送内容をＰＶＲに供給し、録画終了時刻になると、ＰＶＲとチューナをオフにする等々の一連のシーケンスが自動的に実行されるような機能をこのデジタルテレビに備え、更には、このような一連のシーケンスが原則的には自らの学習機能（制御操作の実績に応じて次第に機能が耕され得るようなもの）によって適応的に改訂されると共に、使用者の所望に応じて、ＤＬＮＡインターフェース部１５２やＩＰ網インターフェース部１５１を介して接続したパーソナルコンピュータを用いて、この学習内容を適宜に編集することが許容されるように構成してもよい。この編集は、例えば、該当するシーケンスの時間軸を調整するなどの改変操作等が該当する。
【図面の簡単な説明】
【０１０２】
【図１】本発明の実施形態としての制御システムを表わす概念図である。
【図２】図１の制御システムにおける表示制御装置としてのデジタルテレビの構成を示すブロック図である。
【図３】図１の制御システム中の遠隔制御装置としてのリモートコントローラの構成を示すブロック図である。
【図４】本発明の実施の形態としての表示制御装置であるデジタルテレビの制御モードにおけるスクリーン上での表示例を表す図である。
【図５】図４の実施の形態の変形例としての表示制御装置であるデジタルテレビの制御モードにおけるスクリーン上での表示例を表す図である。
【図６】図１、図２、図４、及び、図５に係る表示制御装置の制御モードにおける動作を表すフローチャートである。
【図７】図６の動作を可能にする機能が付与されるための準備動作を表すフローチャートである。
【図８】図６の動作を可能にする機能が付与されるための準備動作を表すフローチャートである。
【図９】図６の動作を可能にする機能が付与されるための準備動作を表すフローチャートである。
【符号の説明】
【０１０３】
１００…デジタルテレビ  １０１…筐体  １０２…スクリーン  １０３…左側スピーカ  １０４…右側スピーカ  １０５…受光窓  １１０…アンテナ  １２０…復調・フィルタリング部  １２１…チューナ  １３０…映像処理部  １３１…ＯＳＤ部  １４０…音声処理部  １４１…増幅器  １４２…スピーカ  １５１…ＩＰ網インターフェース部  １５２…ＤＬＮＡインターフェース部  １６０…液晶表示器  １６１…入力切換部  １７０…システムコントローラ  １７１…操作部  １７２…メモリ  １８１…赤外光受光部  １８２…無線通信部  １８３…赤外光投射部  ２００…リモートコントローラ  ２０１…筐体    ２０２…確定操作ボタン  ２１１…相対位置検出手段  ２１２…検出特性調整部  ２２０…赤外光制御信号投射部  ２３０…システムコントローラ  ２３１…確定操作受付部    ２３２…メモリ  ３００，３０１…ＰＶＲ  ４００…ＩＰ網  ４５０…サーバ
【図１】
2006245721.tif 000003
【図２】
2006245721.tif 000004
【図３】
2006245721.tif 000005
【図４】
2006245721.tif 000006
【図５】
2006245721.tif 000007
【図６】
2006245721.tif 000008
【図７】
2006245721.tif 000009
【図８】
2006245721.tif 000010
【図９】
2006245721.tif 000011